(57)【要約】【課題】カレンダーの表示方法において連結する長期の表示を可能とすることを課題とする。【解決手段】カレンダー紙が巻かれた下ロールより、カレンダー紙を巻き取るための上ロールとを、伸縮可能となるフレームを左右に備え、上下ロールを支持することでカレンダーの表示範囲を自在に変更することを可能とした。【選択図】図１
2018176647.tif 000002
【特許請求の範囲】
【請求項１】
下ロールより上ロールへとカレンダー紙が巻き上げられるロール式カレンダーであって、前記下ロールと上ロールとが伸縮フレームによって支持される構造により、カレンダーの表示範囲を自在に変更することが可能となるロールカレンダー。
【発明の詳細な説明】
【技術分野】
【０００１】
本発明は、カレンダーの表示方法に関する。
【背景技術】
【０００２】
カレンダーは通常１ヶ月、若しくは２ヶ月を１枚として表示されている。また長期を見通す意味での、１年間となる１２ヶ月を表示するものもあるが、字も小さく占有面積も広いことから多くは利用されていない。２ヶ月表示のカレンダーの場合、２ヶ月分を１枚として破るのではなく、ミシン目により１ヶ月ずつ破ることで２ヶ月分を表示するものも流通している。しかしこの方法によると、例えば１月が終わり１月分のみを破ると、右側は２月のままで、破られた左側に３月が表示される。つまり順序が通常の逆となりやや見にくい状況ではある。
【０００３】
特許文献１によると、１ヶ月毎に折り畳まれたカレンダーであり、少なくとも連続する２ヶ月の表示が可能となる形態が開示されている。この方法によると２ヶ月でも３ヶ月でも自在に表示可能である。
【先行技術文献】
【特許文献】
【０００４】
【特許文献１】実開平４−８１７６８号公報
【発明の概要】
【発明が解決しようとする課題】
【０００５】
ここでは視点を変え、更なる利便性の高いカレンダーを提供することを課題とする。
【課題を解決するための手段】
【０００６】
本願発明によるカレンダーは、ロールタイプとして構成することを特徴とする。例えば手紙を読む場合、現代は１枚ごとの紙を捲りながら読む方法であり、つまりカレンダーの月が終り、捲って次の月へ移るのに比べ、昔の手紙は巻物になっており少しずつ巻きながら読み進んで行き、時には必要とあらば広く（長く）伸ばして広範囲を見る事も可能である。またほんの少しずつ巻きながら僅かの紙面として読んで行くこともできる。この方法の利点は読み終わった部分をすぐに巻き取ってゆくことが出来るため、必要以上に場所をとらないことである。言い替えれば同じ紙面の大きさであればカレンダーにおいての予定日数が最大限で表示できるということである。
【０００７】
そこでこのロール状に巻かれたカレンダーを、上方に備えたロールへと巻き上げてゆくことで過ぎた日が１週間以上表示されることはなく、予定日数のみを表示できるといえる。更に上ロールと下ロールとを固定するためのフレームを、伸縮構造とすることで、表示月日を任意に変化させることができる。これは所望の月日を表示することができ、例えば３〜４ヶ月でも表示することが可能である。またスペースが狭い場合でも対応自在である。
【発明の効果】
【０００８】
効果は前記にもある通り、過ぎた日は週毎に先送りすることで、表示範囲内は全て予定月日を表示することができる。また伸縮フレームを利用することで個人の所望に対応することができ、長期に亘る表示が可能である。また従来のカレンダーの様に破り捨てるものではなく、巻き戻して過去の記載等を確認することも可能である。
【図面の簡単な説明】
【０００９】
【図１】本願発明によるロールカレンダーの正面図
【図２】本願発明によるロールカレンダーの側面図
【図３】ロールカレンダーのＡタイプにおける縦断面部分拡大図
【図４】ロールカレンダーのＢタイプにおける縦断面部分拡大図
【図５】ロールカレンダーのＡ−Ａ´断面図
【発明を実施するための形態】
【００１０】
形態について詳しく説明すると、カレンダー紙（１ｃ）は下ロール（１ｂ）に巻かれており上ロール（１ａ）へと巻き取られてゆく。上ロール（１ａ）は上ロールケース（２ａ）内へ。下ロール（１ｂ）は下ロールケース（２ｂ）へと夫々収納され、上下ロールケースは伸縮外フレーム（３ａ）、伸縮内フレーム（３ｂ）とに支持される。この伸縮フレームに設けられた溝を利用し、図３〜５に示すようにカレンダー紙（１ｃ）が移動する構造となる。伸縮フレームは伸縮固定ネジ（３ｄ）により固定される。
【００１１】
カレンダー紙（１ｃ）のレイアウトに関しては、従来のカレンダーと異なり上段を週毎に巻き取るため、最上部に記された曜日を表示し続けることができない。そこで曜日のみを図１による上ロールケース（２ａ）に記載することで１年を通じ表示したままとなる。
月の表示においては、カレンダー紙（１ｃ）の左側に記載し、例えば最下段に記載することで最終の週においても月を表示することができる。しかし月においては通常認識している事であり重要性をもつものではない。月の変わり目においては僅かな余白があるのみで図１の表示が最適と考えられる。また記載を目的とする余白においては個人の利用に対応するものであり、ここで決定すべき事項ではない。
【００１２】
次に本願発明のロールカレンダーが抱える、最大のウィークポイントである、巻かれたカレンダー紙（１ｃ）を延ばしてゆくことで、紙の巻きぐせが起こることである。これを防ぐために左右の伸縮フレームに設けられた溝を利用するわけであるが、左右の両端部は安定するものの中央部は膨らんだ状態となる。そこでこの巻きぐせに対する手段を幾つか挙げると、まず紙質を巻きぐせのつきにくいものにすることである。例えば不織布に似るものであったり、布であったり、フィルム状の樹脂であったりする。また背面に図５に記載の背面フレーム（３ｃ）を設けることも効果的である。またコストは要するものの上ロール（１ａ）と下ロール（１ｂ）とに停止機能を備え、テンションを懸けた状態で停止（固定）することでも巻きぐせを解消することができる。つまりカレンダー紙（１ｃ）を上下へと引っ張った状態である。
【００１３】
利用形態において説明すると、主に家庭用と業務形態とに分けられる。家庭用としては小型であり、例えば樹脂等の簡素な構造であり、組み立ても最初から完成されており、伸縮フレームを伸ばすのみで利用可能となる。しかし大型となる業務用、会社、事務所等に利用する場合は、組み立てによる方法が好ましい。組み立てに多少の手間は要するものの、大きさからも梱包や運搬等においてコンパクトとする事は効果的といえる。
ここで考えられるのが、その大きさによることから強度を上げ金属等の素材を用いることである。しかしコストが嵩むため本体を組み立て設置した後は再利用する方法とし、毎年カレンダー紙（１ｃ）を巻いた下ロール（１ｂ）のみを交換することとする。
【００１４】
ロールケースにおいては特に必要とするものではないが、曜日の表示に利用したり、組み立て等による安定性、また見た目や掃除等においてもロールケースを備えることが好ましい。またロールの脱着の際には、容易となる開放形状とする。例えば上ロール（１ａ）、下ロール（１ｂ）共に上面が蓋として容易に開ける形状である。またカレンダー紙（１ｃ）を上ロール（１ａ）へと巻き始める場合は、上ロール（１ａ）に設けられた溝へ差し込む方法であってもよいし、粘着テープで止めるだけでも利用可能である。
【符号の説明】
【００１５】
１ａ  上ロール
１ｂ  下ロール
１ｃ  カレンダー紙
２ａ  上ロールケース
２ｂ  下ロールケース
３ａ  伸縮外フレーム
３ｂ  伸縮内フレーム
３ｃ  背面フレーム
３ｄ  伸縮固定ネジ
４    壁面
【図１】
2018176647.tif 000003
【図２】
2018176647.tif 000004
【図３】
2018176647.tif 000005
【図４】
2018176647.tif 000006
【図５】
2018176647.tif 000007